(57)【特許請求の範囲】
【請求項１】
プラグケースと、同プラグケースに取り付けられ、放熱器に配管される温水往復管を接続する垂直プラグと、同垂直プラグと内通して逆止弁を有し、先端部周縁にＯリングを備え、水平ソケットに嵌着される水平プラグとを有し、同水平プラグを水平ソケットに接続するプラグ本体と、同プラグ本体の前面を覆うプラグカバーとでなる温水プラグと、前記水平プラグを嵌着する筒体と逆止弁を有し、給湯器に接続された前記水平ソケットと、同水平ソケットの前面を覆い下部に漏水受皿を備えたソケットカバーとでなる温水ソケットとで構成された温水コンセントにおいて、
前記筒体の上部に通気孔を、下部に排水孔を設けたことを特徴とする温水コンセント。
【請求項２】
前記通気孔および排水孔が、前記水平ソケットと水平プラグの逆止弁が開放の状態では前記Ｏリングの外側に配置され、閉じた状態では内側に配置されて成ることを特徴とする請求項１記載の温水コンセント。
【請求項３】
前記筒体の下部、前記排水孔の外側に遮水板を垂下したことを特徴とする請求項１記載の温水コンセント。
【請求項４】
前記排水孔を下に下がるに従って内側に傾斜させたことを特徴とする請求項１記載の温水コンセント。
【発明の詳細な説明】
【０００１】
【発明の属する技術分野】
本発明は、温水コンセントに係わり、とくに、漏れ水の飛び出し防止に関する。
【０００２】
【従来の技術】
従来、温水コンセントは、図４に示すように、プラグケース３と、同プラグケース３に取り付けられ、図示しない放熱器に配管されるゴムホース４でなる温水往復管を接続する垂直プラグ５ａと、同垂直プラグ５ａと内通して逆止弁５ｂ１を有し、先端部周縁にＯリング５ｂ２を備え、水平ソケット７に嵌着される水平プラグ５ｂとを有し、同水平プラグ５ｂに図示しない給湯器に接続された前記水平ソケット７を有する温水ソケット２を接続するプラグ本体５と、同プラグ本体５の前面を覆うプラグカバー６とでなる温水プラグ１と、前記水平プラグ５ｂを嵌入する筒体７ａと逆止弁７ｂを有し、前記給湯器に接続された水平ソケット７と、同水平ソケット７の前面を覆い下部に漏水受皿８ａを備えたソケットカバー８とでなる前記温水ソケット２とで構成されている。
しかし、この構成では、図５に示すように、壁に配設した前記温水ソケット２から前記温水プラグ１を抜く時、強く引っ張り過ぎると、漏れて水平プラグ５ｂと水平ソケット７との隙間に溜まった漏水が、勢いよく飛び出して、室内の床を濡らしてしまうという問題があった。
【０００３】
【発明が解決しようとする課題】
本発明は以上述べた問題点を解決し、温水ソケットから温水プラグを抜く時に、漏水が勢いよく飛び出すことのない温水コンセントを提供することを目的としている。
【０００４】
【課題を解決するための手段】
本発明は上述の課題を解決するため、プラグケースと、同プラグケースに取り付けられ、放熱器に配管される温水往復管を接続する垂直プラグと、同垂直プラグと内通して逆止弁を有し、先端部周縁にＯリングを備え、水平ソケットに嵌着される水平プラグとを有し、同水平プラグに給湯器に接続された前記水平ソケットを有する温水ソケットを接続するプラグ本体と、同プラグ本体の前面を覆うプラグカバーとでなる温水プラグと、前記水平プラグを嵌入する筒体と逆止弁を有し、給湯器に接続された水平ソケットと、同水平ソケットの前面を覆い下部に漏水受皿を備えたソケットカバーとでなる前記温水ソケットとで構成された温水コンセントにおいて、前記筒体の上部に通気孔を、下部に排水孔を設けた温水コンセントとしている。
【０００５】
前記通気孔および排水孔が、前記水平ソケットと水平プラグの逆止弁が開放の状態では前記Ｏリングの外側に配置され、閉じた状態では内側に配置されて成る温水コンセントとしている。
【０００６】
前記筒体の下部、前記排水孔の外側に遮水板を垂下した温水コンセントとしている。
【０００７】
前記排水孔を下に下がるに従って内側に傾斜させた温水コンセントとしている。
【０００８】
【発明の実施の形態】
以下、図面に基づいて本発明による温水コンセントを詳細に説明する。
図１は本発明による温水コンセントの一実施例を示す一部切欠外観斜視図、図２は同要部側断面図である。
図に示すように、本発明による温水コンセントは、プラグケース３と、同プラグケース３に取り付けられ、図示しない放熱器に配管されるゴムホース４でなる温水往復管を接続する垂直プラグ５ａと、同垂直プラグ５ａと内通して逆止弁５ｂ１を有し、先端部周縁にＯリング５ｂ２を備え、水平ソケット７に嵌着される水平プラグ５ｂとを有し、同水平プラグ５ｂに図示しない給湯器に接続された前記水平ソケット７を有する温水ソケット２を接続するプラグ本体５と、同プラグ本体５の前面を覆うプラグカバー６とでなる温水プラグ１と、前記水平プラグ５ｂを嵌入する筒体７ａと逆止弁７ｂを有し、前記給湯器に接続された水平ソケット７と、同水平ソケット７の前面を覆い下部に漏水受皿８ａを備えたソケットカバー８とでなる前記温水ソケット２とで構成されている。
前記筒体７ａの上部に通気孔７ａ１を、下部に排水孔７ａ２を設けており、壁に配設した前記温水ソケット２から前記温水プラグ１を抜く時、図２−（ａ）に示すように、漏れて水平プラグ５ｂと水平ソケット７との隙間に溜まった漏水が、図２−（ｂ）の状態では前記排水孔７ａ２から排水すると共に、通気孔７ａ１から空気を補給して内部が負圧になるのを防止して、前記溜まった漏水が勢いよく飛び出さないようにしている。
【０００９】
また、この通気孔７ａ１および排水孔７ａ２が、前記水平ソケット７と水平プラグ５ｂの逆止弁７ｂ、５ｂ１が開放の状態では前記Ｏリング５ｂ２の外側に配置され、Ｏリング５ｂ２により漏れて水平プラグ５ｂと水平ソケット７との隙間に溜まった漏水が漏れださないようにシールし、前記逆止弁７ｂ、５ｂ１が閉じた状態では前記Ｏリング５ｂ２の内側に配置されるようにし、上述のように、漏水を前記排水孔７ａ２から排水すると共に、通気孔７ａ１から空気を補給して内部が負圧になるのを防止して、溜まった漏水が勢いよく飛び出さない構造にしている。
【００１０】
図３は、本発明による温水コンセントの他の実施例を示す要部側断面図である。
図３−（ａ）に示すように、水平プラグ５ｂを嵌入する筒体７ａの下部、前記排水孔７ａ２の外側に遮水板７ａ３を垂下したので、水平プラグ５ｂと水平ソケット７との隙間に溜まった漏水が前記排水孔７ａ２から排水される際、抜き方向に飛び散るのを防止することができる。
また、図３−（ｂ）に示すように、前記排水孔７ａ２を下に下がるに従って内側に傾斜させたので、溜まった漏水が前記排水孔７ａ２から前記漏水受皿８ａの奥側に排水されるので、抜き方向に飛び散るのを防止することができる。
【００１１】
以上の構成において、つぎにその動作を説明する。
図示しないが、前記温水ソケット２に前記温水プラグ１を嵌着した状態では前記両逆止弁７ｂ、５ｂ１は開放され、温水が温水ソケット２側若しくは温水プラグ１側から温水プラグ１側若しくは温水ソケット２側に流通することができ、温水プラグ１に備えるＯリング５ｂ２により温水ソケット２から外部に温水が漏れないようにしている。
前記放熱器を別の部屋に移動する場合等のように、前記温水プラグ１を温水ソケット２から外したい場合、温水プラグ１を温水ソケット２から抜いていくと、両逆止弁７１ｂ、５ｂ１が閉塞されるが、図２−（ａ）に示すように、水平プラグ５ｂと水平ソケット７との隙間に温水が漏れて溜まる。
さらに、温水プラグ１を温水ソケット２から抜いていくと、図２−（ｂ）に示すように、Ｏリング５ｂ２が通気孔７ａ１と排水孔７ａ２の外側の位置になると、前記水平プラグ５ｂと水平ソケット７との隙間に漏れて溜まった漏水が前記排水孔７ａ２から排水されると共に、通気孔７ａ１から空気が補給され内部が負圧になるのを防止するので、溜まった漏水が勢いよく飛び出さない。
【００１２】
【発明の効果】
以上説明したように、本発明による温水コンセントによれば、温水プラグと温水ソケットとの隙間に漏れて溜まった漏水が前記排水孔から排水されると共に、通気孔から空気が補給され内部が負圧になるのを防止するので、前記水平プラグと水平ソケットとの隙間に漏れて溜まった漏水が勢いよく抜き方向に飛び出すことのない温水コンセントを提供することができる。
【図面の簡単な説明】
【図１】本発明による温水コンセントの一実施例を示す一部切欠斜視図である。
【図２】本発明による温水コンセントの一実施例を示す要部側断面図である。
【図３】本発明による温水コンセントの他の実施例を示す要部側断面図である。
【図４】従来の温水コンセントを示す要部側断面図である。
【符号の説明】
１  温水プラグ
２  温水ソケット
３  プラグケース
４  ゴムホース（温水往復管）
５  プラグ本体
５ａ  垂直プラグ
５ｂ  水平プラグ
５ｂ１  逆止弁
５ｂ２  Ｏリング
６  プラグカバー
７  水平ソケット
７ａ  筒体
７ａ１  通気孔
７ａ２  排水孔
７ａ３  遮水板
７ｂ  逆止弁
８  ソケットカバー
８ａ  漏水受皿
【図１】
0004048672.tif 000002
【図２】
0004048672.tif 000003
【図３】
0004048672.tif 000004
【図４】
0004048672.tif 000005